(57)【要約】【課題】着用者の体型にフィットし易く、激しい運動等をしても位置ずれの起きない吸収性物品を提供すること。【解決手段】液透過性の表面材、液不透過性の裏面材、及び該表面材及び該裏面材の間に介在する液保持性の吸収体を具備する本発明の吸収性物品は、該肌当接層、該非肌当接層、及び該吸収部が伸長及び／又は収縮可能な材料から形成されていることを特徴とする。吸収部は、吸収性ポリマーを付着させた発泡シート若しくは伸長可能な不織布、又は吸収性ポリマーを繊維表面に直接重合した伸長可能な不織布からなることが好ましい。【選択図】図１
2006142050.tif 000002
【特許請求の範囲】
【請求項１】
液透過性の肌当接層、液不透過性の非肌当接層、及び該肌当接層と該非肌当接層との間に介在する液保持性の吸収部を具備する吸収性物品において、
上記肌当接層及び上記非肌当接層が伸長及び／又は伸縮可能な材料から形成されており、且つ上記吸収部が、上記肌当接層及び上記非肌当接層の伸長及び／又は伸縮を阻害しない材料から形成されていることを特徴とする吸収性物品。
【請求項２】
上記肌当接層が、エラストマー繊維から形成された不織布又は多数の開孔を有する伸縮性フィルムからなる、請求項１記載の吸収性物品。
【請求項３】
上記不織布又は上記伸縮性フィルムが、メタロセンを触媒として用いて製造されたエチレン−α−オレフィン共重合体を含む、請求項２記載の吸収性物品。
【請求項４】
上記肌当接層が、伸長可能な不織布からなる、請求項１記載の吸収性物品。
【請求項５】
上記非肌当接層が、伸縮性フィルム又は伸縮性フィルムと不織布との積層体からなる、請求項１〜４の何れかに記載の吸収性物品。
【請求項６】
上記伸縮性フィルムが、メタロセンを触媒として用いて製造されたエチレン−α−オレフィン共重合体を含む、請求項５記載の吸収性物品。
【請求項７】
上記伸縮性フィルムが、無孔性のウレタン系エラストマー又はエステル系エラストマーからなり、且つ０．５ｇ／（１００ｃｍ2・ｈｒ）以上の透湿度を有する、請求項５記載の吸収性物品。
【請求項８】
上記吸収部が、吸収性ポリマーを付着させた発泡シート若しくは伸長可能な不織布、又は吸収性ポリマーを繊維表面に直接重合した伸長可能な不織布からなる、請求項１〜７の何れかに記載の吸収性物品。
【請求項９】
上記吸収部が、架橋吸水性ポリマーからなり、該架橋吸水性ポリマーが、該架橋吸水性ポリマー１００重量部に対して、沸点２００℃以上の水溶性ポリオール及び／又は水溶性ポリエーテル６０〜２００重量部、並びに水３〜６０重量部からなる可塑剤で可塑化されている、請求項１〜７の何れかに記載の吸収性物品。
【請求項１０】
上記吸収部が、架橋吸水性ポリマーを伸長可能な不織布に固定化してなり、該架橋吸水性ポリマーが、該架橋吸水性ポリマー１００重量部に対して、沸点２００℃以上の水溶性ポリオール及び／又は水溶性ポリエーテル６０〜２００重量部、並びに水３〜６０重量部からなる可塑剤で可塑化されている、請求項１〜７の何れかに記載の吸収性物品。
【発明の詳細な説明】
【技術分野】
【０００１】
本発明は、生理用ナプキンや使い捨ておむつ等の吸収性物品に関し、更に詳しくは極めて高い柔軟性を有し、フィット性に優れた吸収性物品に関する。
【背景技術】
【０００２】
従来の吸収性物品においては、その防漏性を高めるための手段として、主に吸収性物品の形状や吸収性ポリマーの吸収性能の改良の点から検討がなされてきた。例えば、吸収性物品の長手方向に沿う両側部に防漏壁を設けて尿や経血等の横漏れを防止したり、吸収性物品の形状を着用者の体型にフィットするような形状として漏れを防止することが行われてきた。
【０００３】
しかしながら、着用者の体型は千差万別であるため、すべての着用者の体型に完全にフィットする形状の吸収性物品を設計することは難しく、また激しい運動等をすると吸収性物品がその適正な装着位置からずれてしまい、上述の防漏壁等がその本来の機能を十分に発揮し得ない場合が多かった。
【０００４】
特許文献１には、身体へのフィット性を高める目的で、特定の弾性回復率を有する表面シート及び裏面シートを用いた吸収性物品が記載されている。しかしながら、かかる公報に記載の技術は比較的低伸長率（３０％まで）の技術であるため、吸収体自体には伸長性ないし伸縮性が付与されておらず、身体への追従性があまり高くない。更にかかる公報に記載されている裏面シートはエラストマーから形成されているために高伸長時には歪が大きくなってしまい、やはり身体への追従性が望めなくなるという欠点があった。
【０００５】
【特許文献１】特開平２−１５６９４７号公報
【発明の開示】
【発明が解決しようとする課題】
【０００６】
従って、本発明の目的は、着用者の体型にフィットし易く、激しい運動等をしても位置ずれが起きない吸収性物品を提供することにある。
【課題を解決するための手段】
【０００７】
本発明者らは鋭意検討を重ねた結果、吸収性物品を構成する各部材を構造変形可能な材料から形成することにより上記目的を達成し得る吸収性物品が得られることを知見した。
【０００８】
本発明は、上記知見に基づきなされたもので、液透過性の肌当接層、液不透過性の非肌当接層、及び該肌当接層と該非肌当接層との間に介在する液保持性の吸収部を具備する吸収性物品において、
上記肌当接層及び上記非肌当接層が伸長及び／又は伸縮可能な材料から形成されており、且つ上記吸収部が、上記肌当接層及び上記非肌当接層の伸長及び／又は伸縮を阻害しない材料から形成されていることを特徴とする吸収性物品を提供することにより、上記目的を達成したものである。
【発明の効果】
【０００９】
本発明の吸収性物品によれば、着用者の体型にフィットし易く、激しい運動等をしても位置ずれが起きない。
【発明を実施するための最良の形態】
【００１０】
以下、本発明の吸収性物品の好ましい実施形態を図面を参照して説明する。ここで、図１は、本発明の吸収性物品の第１の実施形態としての生理用ナプキンの構造を示す一部破断斜視図である。
【００１１】
図１に示す実施形態の生理用ナプキン１は、実質的に縦長に形成されており、液透過性の肌当接層２、液不透過性の非肌当接層３、及び該肌当接層２と該非肌当接層３との間に介在する液保持性の吸収部４を具備している。
該肌当接層２は、該吸収部４の上面（肌当接面）及び長手方向に沿う左右両側面を被覆し且つ下面（非肌当接面）側において、接着剤（図示せず）によって該非肌当接層３と接合固定されている。これと共に、該肌当接層２、該非肌当接層３、及び該吸収部４は、生理用ナプキン１の長手方向に沿う左右両側部の圧着部５，５において相互に圧着固定されている。
また、該肌当接層２及び該非肌当接層３は、該吸収部４の幅方向に沿う前後両端縁部から外方に延出しており、延出した部分において接着剤によって接合固定されている。
以上の構成は、従来の生理用ナプキンの構成と同様である。
【００１２】
而して、本実施形態の生理用ナプキン１においては、該肌当接層２及び該非肌当接層３が、伸長及び／又は伸縮可能な材料から形成されており、且つ該吸収部４が該肌当接層２及び該非肌当接層３の伸長及び／又は伸縮を阻害しない材料から形成されている。本明細書において、「伸長及び／又は伸縮可能な材料」とは、機械的な外力により構造変形（伸長及び／又は伸縮）し得る材料を意味する。そして、伸長及び／又は伸縮可能な材料というときには、該肌当接層２等が伸縮弾性を有する素材から形成されており該素材自身の伸縮弾性により該肌当接層２等が構造変形し得る場合と、素材自身は伸縮弾性は有していなくても該素材から該肌当接層２等が形成された場合に構造変形が発現するような形成方法で形成されている場合との双方を包含する。
【００１３】
上記肌当接層２としては、エラストマー繊維から形成された不織布又は多数の開孔を有する伸縮性フィルムが好ましく用いられる。
【００１４】
エラストマー繊維から形成された上記不織布は、各種エラストマー繊維を用いて、公知の不織布製造方法、例えばスパンボンド法やカード法等により不織布となしたものである。
上記エラストマー繊維としては、不織布への形成が容易であり、且つ得られる不織布の風合いや肌触りが良好となる点から、結晶性ポリプロピレンからなるハードエラスチック成分を第１成分とし、熱可塑性エラストマーを第２成分とする弾性複合繊維が好ましく用いられる。
【００１５】
上記弾性複合繊維における第１成分である上記結晶性ポリプロピレンとしては、ハードエラスチック性を有するものであれば特に制限無く用いることができる。上記結晶性ポリプロピレンの好ましい例としては、プロピレンのホモポリマー、プロピレンを主体とするエチレンとのコポリマー、及びプロピレンを主体とするα−オレフィンとのコポリマー等が挙げられる。
【００１６】
上記結晶性ポリプロピレンは、その結晶化度が４０％以上であることが好ましい。上記結晶化度が４０％満たないと繊維の伸張回復率が不十分となる場合がある。なお、上記結晶化度は、ＤＳＣ（示差走査熱量測定）法に従って測定された結晶の融解に要するエネルギーをもとに算出した値である。
【００１７】
上記結晶性ポリプロピレンは、そのメルトインデックスが、１〜２００ｇ／１０分であることが好ましく、３〜５０ｇ／１０分であることが更に好ましい。上記メルトインデックスが１ｇ／１０分に満たないと溶融粘度が高すぎて、紡糸が困難となる場合があり、２００ｇ／１０分を超えると溶融粘度が低すぎて、繊維化する前に糸切れが発生する場合があるので上記範囲内とすることが好ましい。なお、上記メルトインデックスは、ＡＳＴＭ
Ｄ−１２３８に従い、２３０℃、２．１６ｋｇｆ荷重下で測定された値である。
【００１８】
また、上記結晶性ポリプロピレンは、伸縮弾性が容易に発現し、且つ上記弾性複合繊維を容易に紡糸し得る点から、その重量平均分子量が、１万〜１００万であることが好ましく、２万〜６０万であることが更に好ましい。
【００１９】
上記弾性複合繊維における第２成分である熱可塑性エラストマーは、一般に、分子中にゴム弾性を有する柔軟性成分（ソフトセグメント、軟質相）と、塑性変形を防止するための分子拘束成分（ハードセグメント、硬質相）とから構成されている。
上記熱可塑性エラストマーは、そのハードセグメントの種類により分類することができ、本発明においては、スチレン系エラストマー、オレフィン系エラストマー、塩ビ系エラストマー、ウレタン系エラストマー、エステル系エラストマー、アミド系エラストマー、シンジオタクチックポリ（１，２−ブタジエン）及びポリ（トランス−１，４−イソプレン）等を好ましく用いることができる。これらの熱可塑性エラストマーのうち、ウレタン系エラストマー及びエステル系エラストマーを特に好ましく用いることができる。
【００２０】
上記ウレタン系エラストマーとして好ましく用いられるものとしては、例えば、ハードセグメントとしてウレタン結合を有するブロックと、ソフトセグメントとしてポリカーボネート系ポリオール、エーテル系ポリオール、カプロラクトン系ポリエステル、又はアジペート系ポリエステル等を有するブロックとから成るウレタン系エラストマー等が挙げられる。
また、上記エステル系エラストマーとして好ましく用いられるものとしては、例えば、ハードセグメントとして芳香族ポリエステルを有するブロックと、ソフトセグメントとして脂肪族ポリエーテル、又は脂肪族ポリエステルを有するブロックとから成るエステル系エラストマー等が挙げられる。
【００２１】
とりわけ、加工性、コスト、耐光性、耐薬品性、及び皮膚刺激性等を考慮すると、上記熱可塑性エラストマーとして、メタロセン（シクロペンタジエニル錯体）を触媒として用いて製造されたエチレン−α−オレフィン共重合体を用いることが特に好ましい。即ち−、上記エラストマー繊維から形成された不織布が、メタロセンを触媒として用いて製造されたエチレン−α−オレフィン共重合体（以下、「メタロセンＰＥエラストマー」ともいう）を含むことが特に好ましい。
上記エチレン−α−オレフィン共重合体において、エチレンと共重合させるα−オレフィンとしては、炭素数が３〜３０のα−オレフィン、例えば、プロピレン、１−ブテン、１−ペンテン、１−ヘキセン、１−オクテン、１−ヘプテン、４−メチル−１−ペンテン、４−メチル−１−ヘキセン、４，４−ジメチル−１−ペンテン、オクタデセン等が挙げられる。これらの中でも１−ヘキセン、１−オクテン、１−ヘプテン、４−メチル−１−ペンテンが好ましく用いられる。
上記エチレン−α−オレフィン共重合体におけるエチレンとα−オレフィンとの配合
割合は、好ましくはエチレンが４０〜９８重量％であり、α−オレフィンが６０〜２重量％である。
触媒として用いられる上記メタロセン（シクロペンタジエニル錯体）としては、次式（Ｉ）に示される化合物等が挙げられる。
ＭＬx ・・・（Ｉ）
〔式中、Ｍは、Ｚｒ、Ｔｉ、Ｈｆ、Ｖ、Ｎｂ、ＴａおよびＣｒからなる群から選ばれる遷移金属を示し、Ｌは、該遷移金属に配位する配位子であり、シクロペンタジエニル骨格を有する基を示し、炭素数１〜１２のアルコキシ基、炭素数１〜１２のアリ−ロキシ基、炭素数１〜１２のトリアルキルシリル基、ＳＯ3Ｒ基（ただしＲはハロゲンなどの置換基を有していてもよい炭素数１〜８の炭化水素基）、ハロゲン原子または水素原子を示し、ｘは上記遷移金属の原子価と同じ数である。
但し、上記Ｌは、複数個配位している場合にはそれぞれ異なる基であっても良いが、少なくとも１つはシクロペンタジエニル骨格を有する基である。即ち、上記ｘが１の場合には、上記Ｌはシクロペンタジエニル骨格を有する基であり、上記ｘが２以上の場合には、複数個の上記Ｌの内少なくとも一つは、シクロペンタジエニル骨格を有する基である。〕
【００２２】
これらの熱可塑性エラストマーには、その溶融流動性を改質するために、熱可塑性プラスチックやオイル成分等を添加してもよい。
【００２３】
上記熱可塑性エラストマーは、その１００％伸張時の伸張回復率が５０％以上であることが、人体の動作に対して破壊を起こさずに追従可能となる点から好ましい。
【００２４】
上記弾性複合繊維においては、好ましくは、上記第１成分の含有量が５〜７０重量％であり、上記第２成分の含有量が９５〜３０重量％であり、更に好ましくは、上記第１成分の含有量が１０〜６０重量％であり、上記第２成分の含有量が９０〜４０重量％であり、一層好ましくは、上記第１成分の含有量が１０〜５０重量％であり、上記第２成分の含有量が９０〜５０重量％である。上記第１成分の含有量が上記の上限を超えるか又は上記第２成分の含有量が上記の下限に満たないと上記弾性複合繊維の伸縮性が不十分となる場合があり、上記第１成分の含有量が上記の下限に満たないか又は上記第２成分の含有量が上記の上限を超えると上記弾性複合繊維の表面に上記第２成分が露出する面積が多くなり、触感が低下する場合があるうえ、鞘芯型の弾性複合繊維を紡糸することが困難となる場合があるので、上記範囲内とすることが好ましい。
【００２５】
上記弾性複合繊維は、エラストマー性を発現し得る繊維形態であればその繊維形態に特に制限は無い。上記弾性複合繊維の好ましい繊維形態としては、並列型（サイド・バイ・サイド型）、分割型（繊維断面が円弧状に分割されたもの）及び鞘芯型〔シース・コア型（同心円型及び偏心型）〕等が挙げられる。これらの繊維形態の弾性複合繊維は、公知の紡糸方法により製造することができる。なお、鞘芯型の弾性複合繊維を用いる場合には、上記第１成分及び上記第２成分のうちの融点が低い方の成分が鞘となるように紡糸する。
【００２６】
また、エラストマー繊維から形成された不織布として、種々の熱可塑性エラストマーから成るメルトブローン不織布に液透過可能なように開孔したものを用いることもできる。また、種々の熱可塑性エラストマーから成るメルトブローン不織布の表面を機械的にひっかく等して起毛させてもよい。
特に、熱可塑性エラストマーとして上述のウレタン系エラストマー、エステル系エラストマー、メタロセンＰＥエラストマー等を用いることが好ましいが、その中でもメタロセンＰＥエラストマーは肌に対する低刺激性という点で特に好ましく用いることができる。
【００２７】
一方、多数の開孔を有する上記伸縮性フィルムは、各種エラストマー素材から形成された伸縮性フィルムに多数の開孔を形成して得られたものである。該エラストマー素材としては、上述した弾性複合繊維の第２成分である熱可塑性エラストマーと同様のものを用いることができ、特にメタロセンＰＥエラストマーが好ましく用いられる。
また、上記開孔の形成方法に特に制限はなく、従来公知の方法、例えば穿孔ピンにより機械的に開孔を形成する方法や、真空吸引により開孔を形成する方法等を用いることができる。
尚、多数の開孔を有する上記伸縮性フィルムにおいては、その肌当接面の風合いや肌触りを向上させるための各種表面処理、例えば起毛処理等を施してもよい。
【００２８】
また、本発明においては、上記肌当接層２として、伸長可能な不織布を用いることも好ましい。
例えば、横伸長可能な不織布として、スパンレース不織布や、熱エンボスによりポイントボンドされているものの繊維自体が捲縮していたり或いは構造変形可能な加工が施されてるスパンボンド不織布、及びヒートロール不織布等を単体で上記肌当接層２として用いることができる。これらの不織布の坪量は１０〜５０ｇ／ｍ2が好ましく、１５〜３０ｇ／ｍ2が更に好ましい。
この場合、これらの不織布に伸縮力を積極的に発現させるために、これらの不織布に上述の熱可塑性エラストマーを積層一体化して用いてもよい。例えば、上記スパンボンド不織布やヒートロール不織布のなかには比較的戻りの力（収縮力）を発現しうるものがあるが、スパンレース不織布は戻りの力（収縮力）が不足する傾向にあるので、スパンレース不織布に熱可塑性エラストマーを積層一体化して開孔することにより、上記肌当接層３として好適なものとなる。
伸長可能な不織布を構成する繊維の種類としては、スパンボンド不織布、ヒートロール不織布、スパンレース不織布の場合には、ポリエチレンやポリプロピレン等のオレフィン系のものか、ポリエチレンテレフタレートやポリブチレンテレフタレート等のポリエステル系のものを用いることができる。また、必要に応じてこれらの組み合わせによる複合繊維や、これらの繊維を層状に積層したもの、或いはこれらの繊維を混綿したものを用いても良い。これらの繊維は、その繊維径が１．０〜１０デニールであることが好ましく、１．０〜５．０デニールであることが更に好ましい。
【００２９】
エラストマー繊維から形成された不織布、多数の開孔を有する伸縮性フィルム又は伸長可能な不織布からなる上記肌当接層２には、体液の透過性を高めるために、従来公知の親水化処理、例えば界面活性剤等の塗布を行ってもよい。
【００３０】
上記肌当接層２として、伸縮性のものを用いる場合には、その１００％伸張時の伸張回復率が９０〜６０％であることが、人体の動作に対して破壊を起こさずに追従可能となる点から好ましい。尚、上記肌当接層２として伸長可能な不織布を用いる場合はこの限りではない。
また、上記肌当接層２は、その坪量に特に制限はないが、薄型の吸収性物品となすために１０〜５０ｇ／ｍ2であることが好ましく、１５〜３０ｇ／ｍ2であることが更に好ましい。
【００３１】
次に、上記非肌当接層３について説明すると、該非肌当接層３としては、伸縮性フィルム、又は伸縮性フィルムと伸長可能な不織布との積層体が好ましく用いられる。
【００３２】
上記伸縮性フィルムとしては、上記肌当接層２において好ましく用いられる伸縮性フィルムと同様の素材から形成されたものを用いることができ、特にメタロセンＰＥエラストマーが好ましく用いられる。
該伸縮性フィルムは、その風合いや肌触りを向上させるために、起毛処理等の表面改質を行ったり、不織布等の布帛と積層させることが好ましい。積層の方法に特に制限はなく、例えば、上記伸縮性フィルムをシート状に溶融成形する際に、上記布帛上に溶融ラミネートしたり、予め成形した該伸縮性フィルムと、該布帛とを熱圧着ラミネートやフレームラミネートしたり、或いはホットメルト接着剤や液状接着剤等によってラミネートしてもよい。
【００３３】
特に、上記伸縮性フィルムとして透湿性を有する伸縮性フィルムを用いることが着装内でのムレ防止の点から好ましい。
透湿性を有する伸縮性フィルムは、無孔性であり、且つ透湿性ウレタン系エラストマー又は透湿性エステル系エラストマーから形成されることが好ましい。斯かる伸縮性フィルムの透湿度（ＪＩＳ  Ｚ ０２０８）は、０．５ｇ／（１００ｃｍ2・ｈｒ）以上であることが好ましく、０．５〜５ｇ／〔１００ｃｍ2・ｈｒ〕であることが更に好ましく、１．０〜５ｇ／〔１００ｃｍ2・ｈｒ〕であることが一層好ましい。
上記透湿性ウレタン系エラストマーとして好ましく用いられるものとしては、例えば、特開平７−７０９３６号公報、特開平６−１３４０００号公報、特公平６−６７６０４号公報、特開平１−１４１６６９号公報、特公昭５２−２１０４２号公報等に記載のウレタン系エラストマーや、東洋ゴム工業製のソフランパーム（商品名）が挙げられる。
一方、上記透湿性エステル系エラストマーとして好ましく用いられるものとしては、例えば、特開昭５１−１１１２９０号公報等に記載のエステル系エラストマーや、日本合成化学製のフレクマ（商品名）が挙げられる。
【００３４】
上記透湿性ウレタン系エラストマーと透湿性エステル系エラストマーとは、それぞれ単独で用いてもよく、又は両者を組み合わせて用いてもよい。両者を組み合わせて用いる場合には、それぞれの配合割合に特に制限はないが、上記透湿性ウレタン系エラストマーを主な配合に用いる場合や、上記非肌当接層３にブロッキング防止効果を付与する場合には、上記透湿性エステル系エラストマーの硬度を選んでブレンドすると良い。
【００３５】
上記伸縮性フィルムとして、上記透湿性ウレタン系エラストマー又は透湿性エステル系エラストマーを用い、これをポリオレフィン系繊維から成る不織布に融着させ、積層シートとして用いたり、ポリオレフィン系の部材とのヒートシール等を行う場合には、これらのエラストマーにオレフィン系熱可塑性樹脂をブレンドしたものから上記伸縮性フィルムを成形することが、積層性やヒートシール性を高め得る点から好ましい。
該オレフィン系熱可塑性樹脂としては、エチレンやプロピレン等のホモポリマー、及びエチレンやプロピレン等と他の重合性単量体とのコポリマー等を用いることができるが、これらに限定されるものではない。また、上記重合性単量体としては、例えば、アクリル酸、アクリル酸エステル、ビニルアルコール、マレイン酸無水物、メタクリル酸、メタクリル酸エステル、メタクリル酸グリシジル、酢酸ビニル等を用いることができる。
上記オレフィン系熱可塑性樹脂として好ましく用いることができるものとしては、エチレンとアクリル酸、アクリル酸エチル、ビニルアルコールマレイン酸無水物又は酢酸ビニルとのコポリマー等が挙げられる。
【００３６】
上記オレフィン系熱可塑性樹脂は単独で用いてもよく又は二種以上を組み合わせて用いてもよい。上記オレフィン系熱可塑性樹脂を二種以上を組み合わせて用いる場合には、特に、低密度ポリエチレン（ＬＤＰＥ）と、オレフィン系コポリマー（例えば、エチレン／アクリル酸エチルコポリマー等）とを用いると、上記伸縮性フィルムを成形する際の溶融物の流動性及び接着性が向上するので好ましい。
【００３７】
透湿性を有する上記伸縮性フィルムを、上記透湿性ウレタン系エラストマー又は透湿性エステル系エラストマーと、上記オレフィン系熱可塑性樹脂とをブレンドして成形する場合には、両者の配合比率は、上記透湿性ウレタン系エラストマー又は透湿性エステル系エラストマー９９〜５１重量部、及び上記ポリオレフィン系熱可塑性樹脂１〜４９重量部とすることが好ましい。上記透湿性ウレタン系エラストマー又は透湿性エステル系エラストマーの配合量が９９重量部を超えるか又は上記ポリオレフィン系熱可塑性樹脂の含有量が１重量部に満たないと不織布と積層した場合の接着効果が低く、上記透湿性ウレタン系エラストマー又は透湿性エステル系エラストマーの配合量が５１重量部に満たないか又は上記ポリオレフィン系熱可塑性樹脂の含有量が４９重量部を超えると上記透湿性ウレタン系エラストマー又は透湿性エステル系エラストマーの有する透湿性を阻害するおそれがあるので、上記範囲内とすることが好ましい。更に好ましくは、透湿性を有する上記伸縮性フィルム２は、上記透湿性ウレタン系エラストマー又は透湿性エステル系エラストマー９９〜６０重量部、上記ポリオレフィン系熱可塑性樹脂１〜４０重量部からなる。
【００３８】
また、上記透湿性ウレタン系エラストマー又は透湿性エステル系エラストマー、及び上記オレフィン系熱可塑性樹脂に加えて、両者の相溶化剤として働くような樹脂等を配合することも好ましい。かかる他の樹脂は、上記透湿性ウレタン系エラストマー又は透湿性エステル系エラストマー１００重量部に対して好ましくは０．１〜１０重量部配合することができる。更に、必要に応じて、滑剤、アンチブロッキング剤、熱・光安定剤、帯電防止剤、着色剤等の各種添加剤を配合してもよい。
【００３９】
上記非肌当接層３は、その１００％伸張時の伸張回復率が１００〜６０％であることが、人体の動作に対して破壊を起こさずに追従可能となる点から好ましい。
また、上記非肌当接層３は、その坪量に特に制限はないが、薄型の吸収性物品となすために１０〜５０ｇ／ｍ2であることが好ましく、１２〜２５ｇ／ｍ2であることが更に好ましい。
【００４０】
次に上記吸収部４について説明すると、該吸収部４としては、吸収性ポリマーを付着させた発泡シート若しくは伸長可能な不織布、又は吸収性ポリマーを繊維表面に直接重合した伸長可能な不織布が好ましく用いられる。
【００４１】
吸収性ポリマーを付着させた発泡シート又は伸長可能な不織布としては、１）ウレタン樹脂やオレフィン系樹脂等からなるスポンジ状の発泡シートの表面に吸収性ポリマーを付着させたもの、２）一対の上記発泡シートの間に吸収性ポリマーを挟み込んだもの、３）上記発泡シート又は上記伸長可能な不織布と上記非肌当接層３に用いられる上記伸縮性フィルムとの間に吸収性ポリマーを挟み込んだもの、４）該伸縮性フィルムと伸長可能な不織布との間に吸収性ポリマーを挟み込んだもの等が挙げられる。この際に用いられる伸長可能な不織布としては、親水性の繊維からなるスパンレース不織布が好適である。また、上記発泡シートには、体液の吸収性を高めるために親水化処理を施してもよい。
【００４２】
また、吸収性ポリマーを繊維表面に直接重合した伸長可能な不織布は、伸長可能な不織布に吸収性ポリマーを形成し得る重合性単量体を含む溶液を含浸させた後に、該単量体を重合させることにより得られる。かかる重合の方法は、例えば特開昭６１−２７５３５５号公報や特公平６−９４６２５号公報に記載されている。
該伸長可能な不織布は、これを形成する繊維が伸縮弾性を有していれば該繊維の作用により構造変形が発現し、また、該繊維が伸縮弾性を有していなくても、例えばスパンレース不織布のように自身の繊維の交絡状態によって構造変形が発現する。即ち、スパンレース不織布は繊維の機械的な絡合によって不織布としての形態を維持しているので、機械的な外力により該絡合状態が変化して（例えば伸長して）、構造変形が発現する。
該スパンレース不織布としては、ポリオレフィン系繊維、ポリエステル繊維、コットン又はレーヨン等からなるスパンレース不織布や、東洋紡製のランシール（商品名、アクリル繊維の加水分解物からなるスパンレース不織布）を用いることができる。
また、上記伸長可能な不織布として、スパンボンド不織布、ヒートロール不織布等のポイントボンドされた不織布であって、構成繊維自体が捲縮していたり或いは構造変形可能な加工が施されているものを用いることができる。この場合、ポリオレフィン系繊維やポリエステル系繊維のスパンボンド不織布やヒートロール不織布を用いることが好適である。
尚、これら伸長可能な不織布は、以下に述べる可塑化した吸収性ポリマーを固定化させる目的において用いてもよい。
【００４３】
上記吸収部４として、特に、架橋吸水性ポリマーを伸長可能な不織布に固定化してなり、該架橋吸水性ポリマーが、該架橋吸水性ポリマー１００重量部に対して、沸点２００℃以上の水溶性ポリオール及び／又は水溶性ポリエーテル６０〜２００重量部、並びに水３〜６０重量部からなる可塑剤で可塑化されているものを用いると、吸収性能が極めて向上するので好ましい。
上記可塑剤は、グリセリン、ポリグリセリン、トリメチルロールプロパン、ヘキサントリオール、ソルビトール、及び平均分子量１３０〜４００のポリプロピレングリコールからなる群より選択される一種以上と水とからなることが好ましい。
かかる吸収部は、上記架橋吸水性ポリマーを、該架橋吸水性ポリマー１００重量部に対し、上記水溶性ポリオール及び／又は上記水溶性ポリエーテル、及び水からなる可塑剤で可塑化して、伸長可能な不織布に混在させ、該伸長可能な不織布を加圧接着することによって好ましく製造される。
【００４４】
また、上記吸収部４として、吸収性ポリマーのみを用いることもできる。この場合、該吸収性ポリマーは、上記非肌当接層３の内面（生理用ナプキンの内側）に散布され、接着剤等の接合手段により該非肌当接層３に固定されて用いられる。その結果、該非肌当接層３の構造変形に追従して吸収性ポリマーも構造変形する。このような構造の吸収部４を用いることにより、生理用ナプキン１の全体の厚みを極めて薄くすることができるので好ましい。この場合、上記吸収性ポリマーを上述の伸長可能な不織布等で被覆してもよい（即ち、伸長可能な不織布等と非肌当接層３との間に吸収性ポリマーを挟み込み、該伸長可能な不織布等と該非肌当接層３とを貼り合わせてもよい）。
上記吸収性ポリマーとしては、上述の架橋吸水性ポリマー、即ち架橋吸水性ポリマー１００重量部に対して、沸点２００℃以上の水溶性ポリオール及び／又は水溶性ポリエーテル６０〜２００重量部、並びに水３〜６０重量部からなる可塑剤で可塑化されている架橋吸水性ポリマーが特に好ましい。
【００４５】
図１に示す実施形態の生理用ナプキン１は、全体として極めて高い柔軟性を有しており、着用者の身体に対するフィット性が高い。具体的には、該生理用ナプキン１は、その５０％伸張時の伸張回復率が１００〜６０％であることが、人体の動作に対して破壊を起こさずに追従可能となる点から好ましい。
【００４６】
次に、本発明の吸収性物品の第２〜第４の実施形態を図２〜図５を参照して説明する。ここで、図２は、本発明の吸収性物品の第２の実施形態としての展開型使い捨ておむつを肌当接層側からみた一部破断平面図であり、図３は、本発明の吸収性物品の第３の実施形態としてのパンツ型使い捨ておむつを示す斜視図であり、図４は、本発明の吸収性物品の第４の実施形態としての使い捨て生理用ショーツの装着状態を示す斜視図であり、図５は、図４に示す使い捨て生理用ショーツの組立前の状態を肌当接層側からみた展開図である。尚、第２〜第４の実施形態については第１の実施形態と異なる点についてのみ説明し、同じ点については特に説明しないが第１の実施形態について詳述した説明が適宜適用される。また、図２〜図５において図１と同じ部材については同じ符号を付した。
【００４７】
図２に示す実施形態の展開型使い捨ておむつ１０は、液透過性の肌当接層２、液不透過性の非肌当接層３、及び該肌当接層２と該非肌当接層３との間に介在する液保持性の吸収部４を有している。
上記肌当接層２、上記非肌当接層３及び上記吸収部４は、それぞれおむつの股下部に対応する部分が縊れており、砂時計状に湾曲して形成されている。そして、上記吸収部４の前後に位置する腹側ウエスト部１５及び背側ウエスト部１５’には、上記肌当接層２と上記非肌当接層３とこれらの間に介在する第１弾性部材１７とによってそれぞれウエストギャザーが形成されている。また該吸収部４の左右に位置するレッグ部１６，１６には、上記肌当接層２と上記非肌当接層３とこれらの間に介在する第２弾性部材１８とによってそれぞれレッグギャザーが形成されている。そして、これらウエストギャザー及びレッグギャザーよって、おむつ１０が着用者のウエスト部及び股下部にフィットし得るようになされている。
上記おむつ１０の背側ウエスト部１５’の幅方向両側部には、該おむつ１０の装着時に上記腹側ウエスト部１５と背側ウエスト部１５’とを止着するためのファスニングテープ１９が配設されている。また、上記おむつ１０の腹側ウエスト部１５における上記非肌当接層３の表面には、上記ファスニングテープ１９の被貼着部としてのランディングテープ（図示せず）が配設されており、上記ファスニングテープ１９が、該ランディングテープに止着するように構成されている。
【００４８】
而して、上記展開型使い捨ておむつ１０においては、上記肌当接層２、上記非肌当接層３、及び上記吸収部４が、それぞれ上述の材料から構成されている。その結果、上記おむつ１０は、着用者の体型にフィットし易く、着用者の身体に追従して位置ずれが起きない。従って、液漏れ等が効果的に防止される。
【００４９】
図３に示す実施形態のパンツ型使い捨ておむつ２０は、液透過性の肌当接層２、液不透過性の非肌当接層３、及び該肌当接層２と該非肌当接層３との間に介在する液保持性の吸収部４を有する吸収性本体２５を備え、該吸収性本体２５における着用者の腹側に位置する腹側部２６及び背側に位置する背側部２７それぞれの両側縁部の接合固定により、ウエスト開口部２８及び一対のレッグ開口部２９，２９が形成されている。
上記おむつ２０においては、腹側部２６の左右両側縁部と背側部２７の左右両側縁部とがそれぞれ接合固定されて、おむつ２０の左右両側縁部に一対の接合部２３，２３が形成されている。上記接合固定は、上記両側縁部における上記肌当接層２同士が当接するようにしてなされている。
また、上記ウエスト開口部２８及び一対の上記レッグ開口部２９，２９には、それぞれその周縁部全周に亘って実質的に連続したギャザーを形成する第１弾性部材１７及び第２弾性部材１８が設けられている。
【００５０】
而して、上記パンツ型使い捨ておむつ２０においては、上記肌当接層２、上記非肌当接層３、及び上記吸収部４が、それぞれ上述の材料から構成されている。その結果、上記おむつ２０は、着用者の体型にフィットし易く、着用者の身体に追従して位置ずれが起きない。従って、液漏れ等が効果的に防止される。
【００５１】
図４及び図５に示す実施形態の使い捨て生理用ショーツ３０は、液透過性の肌当接層２、液不透過性の非肌当接層３、及び該肌当接層２と該非肌当接層３との間に介在する液保持性の吸収部４を具備している。
図５に示すように、上記非肌当接層３は、その長手方向に沿う略中央部が括れた略砂時計形状をなしており、着用時に着用者の腹側に位置する腹側部Ｃ、背中側に位置する背側部Ａ、及び股間に位置する股間部Ｂから構成されている。
また、上記非肌当接層３における上記背側部Ａの左右両側縁部には、一対の連結パネル３５，３５’が、ホットメルトやヒートシール等の接合手段によって接合・固定されている。そして、該連結パネル３５，３５’を介して上記腹側部Ｃの左右両側縁部と上記背側部Ａの左右両側縁部とを、それぞれ接合・固定することにより、図４に示すようにウエスト開口部２８と、一対のレッグ開口部２９，２９とが形成されるようになされている。
図５に示すように、上記非肌当接層３における上記股間部Ｂには、上記肌当接層２が配設されていると共に、該肌当接層２と該非肌当接層３との間には長方形状の吸収部４が介在しており、生理用ショーツ３０の着用時に、該肌当接層２及び該吸収部４が着用者の股間に位置するようになされている。
【００５２】
而して、上記生理用ショーツ３０においては、上記肌当接層２、上記非肌当接層３、及び上記吸収部４が、それぞれ上述の材料から構成されている。また、上記連結部３５，３５’は伸縮性の部材から構成されている。その結果、上記生理用ショーツ３０は、着用者の体型にフィットし易く、着用者の身体に追従して位置ずれが起きない。従って、液漏れ等が効果的に防止される。
【００５３】
以上、本発明の吸収性物品をその好ましい実施形態に基づき説明したが、本発明の吸収性物品は上記実施形態に制限されず、本発明の趣旨を損なわない限り種々の変更が可能である。
例えば、図１に示す生理用ナプキンにおいては上記非肌当接層３の着衣当接面上に着衣固定用の粘着剤層を形成してもよい。
また、図１に示す生理用ナプキンにおいては上記肌当接層の肌当接面上に身体固定用の粘着剤層を形成してもよい。
また、本発明の吸収性物品をプレフォームしたアプリケーターの形状にして用いてもよい。
また、本発明の吸収性物品は、失禁用パッドや母乳パッド等の他の吸収性物品としても用いることができる。
【実施例】
【００５４】
以下、実施例により本発明の吸収性物品を更に詳細に説明する。しかしながら、本発明はかかる実施例に限定されないことはいうまでもない。
なお、以下の説明においては、特に断らない限り「部」は重量部を示す。
【００５５】
〔実施例１〜７〕
液透過性の肌当接層、液不透過性の非肌当接層、及び液保持性の吸収部として表１及び表２に示す部材をそれぞれ用いて、図１に示す構造の生理用ナプキンを得た。該生理用ナプキンにおける非肌当接層の着衣当接面上に、該生理用ナプキンの長手方向に沿ってホットメルト粘着剤を筋状に塗布し、ズレ止め粘着剤の層を形成した。
このようにして得られた生理用ナプキンについて、身体へのフィット性を下記の基準により評価した。その結果を表１に示す。
【００５６】
＜生理用ナプキンのフィット性＞
パネラー１０人による装着テスト
10人〜８人が良好と回答・・・◎
７人〜５人が良好と回答・・・○
４人〜３人が良好と回答・・・△
２人〜１人が良好と回答・・・×
【００５７】
〔比較例１〕
ＰＥ／ＰＰ芯鞘複合繊維からなるサクションヒートボンド不織布を肌当接層として用い、ポリプロピレン系樹脂組成物からなる多孔性シートを非肌当接層として用い、二枚のティッシュペーパーの間に吸収性ポリマーを挟持させてなる吸収体を吸収部として用いる以外は実施例１と同様にして生理用ナプキンを得た。得られた生理用ナプキンについて実施例１と同様の評価を行った。その結果を表１に示す。
【００５８】
【表１】
2006142050.tif 000003
【００５９】
【表２】
2006142050.tif 000004
【００６０】
表１に示す結果から明らかなように、肌当接層、非肌当接層、及び吸収部を構造変形可能な材料から形成した実施例１〜７の生理用ナプキン（本発明品）は、比較例１の生理用ナプキンに比して身体へのフィット性、特に激しい運動した場合においても身体へのフィット性に優れることが分かる。
【図面の簡単な説明】
【００６１】
【図１】本発明の吸収性物品の第１の実施形態としての生理用ナプキンの構造を示す一部破断斜視図である。
【図２】本発明の吸収性物品の第２の実施形態としての展開型使い捨ておむつを肌当接層側からみた一部破断平面図である。
【図３】本発明の吸収性物品の第３の実施形態としてのパンツ型使い捨ておむつを示す斜視図である。
【図４】本発明の吸収性物品の第４の実施形態としての使い捨て生理用ショーツの装着状態を示す斜視図である。
【図５】図４に示す使い捨て生理用ショーツの組立前の状態を肌当接層側からみた展開図である。
【符号の説明】
【００６２】
１ 生理用ナプキン
２ 液透過性の肌当接層
３ 液不透過性の非肌当接層
４ 液保持性の吸収部
５ 圧着部
【図１】
2006142050.tif 000005
【図２】
2006142050.tif 000006
【図３】
2006142050.tif 000007
【図４】
2006142050.tif 000008
【図５】
2006142050.tif 000009
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
液透過性の肌当接層、液不透過性の非肌当接層、及び該肌当接層と該非肌当接層との間に介在する液保持性の吸収部を具備する吸収性物品において、
上記肌当接層及び上記非肌当接層が伸長及び／又は伸縮可能な材料から形成されており、且つ上記吸収部が、上記肌当接層及び上記非肌当接層の伸長及び／又は伸縮を阻害しない材料から形成されており、
上記肌当接層を形成する上記材料として、熱可塑性エラストマーを成分とする繊維が用いられていることを特徴とする吸収性物品。
【請求項２】
上記肌当接層が、前記繊維から形成された不織布からなる、請求項１記載の吸収性物品。
【請求項３】
上記不織布が、メタロセンを触媒として用いて製造されたエチレン−α−オレフィン共重合体を含む、請求項２記載の吸収性物品。
【請求項４】
上記肌当接層を形成する上記材料として、スチレン系エラストマーを成分とする繊維が用いられている、請求項１記載の吸収性物品。
【請求項５】
上記非肌当接層が、伸縮性フィルム又は伸縮性フィルムと不織布との積層体からなる、請求項１〜４の何れかに記載の吸収性物品。
【請求項６】
上記伸縮性フィルムが、メタロセンを触媒として用いて製造されたエチレン−α−オレフィン共重合体を含む、請求項５記載の吸収性物品。
【請求項７】
上記伸縮性フィルムが、無孔性のウレタン系エラストマー又はエステル系エラストマーからなり、且つ０．５ｇ／（１００ｃｍ2・ｈｒ）以上の透湿度を有する、請求項５記載の吸収性物品。
【請求項８】
上記吸収部が、吸収性ポリマーを付着させた発泡シート若しくは伸長可能な不織布、又は吸収性ポリマーを繊維表面に直接重合した伸長可能な不織布からなる、請求項１〜７の何れかに記載の吸収性物品。
【請求項９】
上記吸収部が、架橋吸水性ポリマーからなり、該架橋吸水性ポリマーが、該架橋吸水性ポリマー１００重量部に対して、沸点２００℃以上の水溶性ポリオール及び／又は水溶性ポリエーテル６０〜２００重量部、並びに水３〜６０重量部からなる可塑剤で可塑化されている、請求項１〜７の何れかに記載の吸収性物品。
【手続補正２】
【補正対象書類名】明細書
【補正対象項目名】０００８
【補正方法】変更
【補正の内容】
【０００８】
本発明は、液透過性の肌当接層、液不透過性の非肌当接層、及び該肌当接層と該非肌当接層との間に介在する液保持性の吸収部を具備する吸収性物品において、
上記肌当接層及び上記非肌当接層が伸長及び／又は伸縮可能な材料から形成されており、且つ上記吸収部が、上記肌当接層及び上記非肌当接層の伸長及び／又は伸縮を阻害しない材料から形成されており、
上記肌当接層を形成する上記材料として、熱可塑性エラストマーを成分とする繊維が用いられていることを特徴とする吸収性物品を提供することにより、上記目的を達成したものである。
【手続補正３】
【補正対象書類名】明細書
【補正対象項目名】００５４
【補正方法】変更
【補正の内容】
【００５４】
以下、実施例により本発明の吸収性物品を更に詳細に説明する。しかしながら、本発明はかかる実施例に限定されないことはいうまでもない。これらの実施例のうち、実施例１が本発明の範囲内であり、その他の実施例は本発明の参考例であり、本発明の範囲外である。
なお、以下の説明においては、特に断らない限り「部」は重量部を示す。